(57)【要約】      （修正有）【課題】小型・軽量・低価格・動画対応・高性能な分光イメージング分析システムまたは装置を提供する。【解決手段】時分割分光手段１００と、イメージセンサと、を備えた分光イメージングシステムであり、イメージセンサの全画素の蓄積期間と同期させてＮ−１個の液晶セル１０３ａ、１０３ｂ、１０３ｃに印加する電圧の組み合わせを変化させて各液晶セルの透過特性を調整し、入射光１０７に含まれる光波長成分について、バンドパスフィルター１０１のＮ個の透過光波長から時分割で１波長ずつ選択してイメージセンサでＮ回の信号を取得することで入射光に含まれるＮ個の波長成分の光情報を時分割で取得する。【選択図】図１
2018200257.tif 000002
【特許請求の範囲】
【請求項１】
N（２以上の整数）個の光波長に透過率ピークを有するバンドパスフィルターと「N-1」個の液晶セルから構成される時分割分光手段と、
イメージセンサと、
を備えた分光イメージングシステムであり、
前記イメージセンサの全画素の蓄積期間と同期させて前記「N-1」個の液晶セルに印加する電圧の組み合わせを変化させて各液晶セルの透過特性を調整し、入射光に含まれる光波長成分について、前記バンドパスフィルターのN個の透過光波長から時分割で１波長ずつ選択して前記イメージセンサでN回の信号を取得することで前記入射光に含まれるN個の波長成分の光情報を時分割で取得することを特徴とする時分割分光イメージング分析システム。
【発明の詳細な説明】
【技術分野】
【０００１】
本発明は、時分割分光イメージング分析システム及び時分割分光イメージング分析法に関するものである。
【背景技術】
【０００２】
昨今の分光イメージング分析技術は、非破壊・非接触・迅速という特徴もあり、農産物や食品、生体関連物の評価技術として重要視され、食品製造・加工現場における成分分析や異物混入検査、農業生産における生育診断・収量調査、医療、時系列による成分変化のイメージング等への応用開発が盛んである。
その中で分光イメージング分析技術は、二次元の分光情報が得られるということで、観察対象を判別・特定しながら分光分析を行うことが出来る。そのため、より高度な分光分析が可能であり、用途拡大、市場拡大の目的から大いに期待されている。
【０００３】
ところで、分光イメージングとは，ある範囲面上の各位置における分光情報を採取する技術をいい、スポット（一部位）のみの採取ではなく，画像としてデータを採取し，画像内のそれぞれの位置に対応した分光情報を解析可能にする技術である。
そのような分光イメージング技術を採用した装置として、ハイパースペクトル（Hyper Spectral Imaging）カメラ（イメージング／平面分光器）、所謂「ImSpector」といわれる装置は、ライン状エリアの同時多点分光が可能で、そのラインをスキャンすることで平面の各点の分光スペクトルを簡便に測定できるという点で注目されている（技術文献１）。
【０００４】
ImSpectorは、特殊なプリズムとグレーティング構造により、線状エリアの各点の光を波長帯に分光する。通常のレンズおよびモノクロの２次元カメラと組み合わせることで、ライン状エリアの波長分布を検知できるイメージング方式の分光計が実現されている。
その特徴は、プリズム・グレーティング・プリズム（PGP）方式で、スリットを通った直線状の光を平面に展開して分光し、直進光学系によるスペクトル解析を可能としたものである。
ハイパースペクトルカメラを使用した装置としては、既にケイエルブイ株式会社よりAOTF（光音響素子）によるリアルタイムな高速多波長分光測定装置「ハイパースペクトルカメラ HSi440C」として販売されてもいる。
【０００５】
分光イメージングでは、その分光の仕方によって、前分光法と後分光法がある。
前分光法を用いるものには、試料（被検体）と撮影装置の間に分散光学系等が入らないため，結果的に画像情報を劣化させる要因が少なく、綺麗な画像採取が可能である。
後分光法を用いるものには、複数の干渉フィルターをターレット状に並べた円板を回転させ、それぞれのフィルターが光軸上にセットされた時に測定する方法やプリズムや回折格子等を使った分散方式のものがある。また液晶を用いて分光するタイプのものも1997年位から提案されてきている。
【０００６】
ところで、分光イメージング装置の基本的構成要素は、被検体を介してくる光を受けて分光する分光手段と該分光手段を介してくる光を受けるイメージセンサと、該イメージセンサが出力する出力情報を計算処理して計算結果画像を生成する情報処理手段である。
特に、高性能な分光分析を行うには、例えば、特許文献１乃至３に記載されている高感度なイメージセンサが必要である。このようなイメージセンサの分光感度特性の一例が図１１に示される。
今日では、上述の技術背景を基に、食品の安全や農作物の成育状況、人体の健康状態のモニターなどのために簡便に分光分析を行うことのできる小型・ポータブル・低価格・高性能な分光イメージングシステムの創出が望まれている。
【先行技術文献】
【特許文献】
【０００７】
【特許文献１】特許5692880号公報
【特許文献２】特許5958980号公報
【特許文献３】特許4317115
【非特許文献】
【０００８】
【非特許文献１】JFE技報 No.15（2007年2月）、pp59-61
【発明の概要】
【発明が解決しようとする課題】
【０００９】
しかしながら、上記した分光イメージング技術を採用した装置には、下記の課題が存在していた。
（１）プリズム、グレーティング、AOTF（光音響素子）、分散光学系などの光学素子の収差をなくす光学設計が難しい。
（２）従来の複数の液晶セルを組み合わせた液晶リオフィルターを用いる場合は、半値幅を小さくしようとすると液晶セルの個数を増やす必要があり、小型化が困難である。また動作温度によって中心波長、半値幅が変動する。又、液晶に加える電圧を変化させて時分割で中心波長を切り替える際に中心波長の変動が起こりやすい。また、液晶セルの個数が多いと選択波長の透過率が低くなるという問題がある。
（３）前分光法を用いるものは、外光の影響を直接受ける為，暗箱等による対策が必要。
（４）RGBフィルター方式は、面の解析は可能だが、データはR（赤）G（緑）B（青）の強度（データ数：3個）だけなので微妙な色の違いの識別が困難。
（５）ImSpectorは線状エリアを同時多点分光するので、面状イメージの各点を分光解析するには、対象物（被検体）または分光カメラを相対的に移動させる必要がある。
（６）複数のバンドパスフィルターを機械的に回転するなどして時分割で切り替える分光フィルターを使用する分光分析装置では、機械駆動部分が存在するため信頼性を高めることに難点があると共に小型化するのが困難である。また、バンドパスフィルターを切り替えに要する時間が長く、動画対応が困難である。
（７）従来のイメージセンサオンチップのバンドパスフィルターを用いる場合は、イメージセンサの複数画素を複数のバンドパスフィルターで分割するため、解像度が低下する。また、一度作成したイメージセンサについて光波長の組み合わせを代えることができず、用途毎によって中心波長を適宜切り替えることができない。
（８）発光波長の異なる複数のLED光源などを用いる時分割光源切換型の分光手段では、明るい環境では用いることが出来ず、例えばドローンを用いた空撮等には向かない。また、半値幅を小さくすることが困難であり、分光分析の精度を高めるのが困難。
【００１０】
本発明は、上記点に鑑み鋭意なされたものであって、その目的の一つは、小型・軽量・低価格・動画対応・高性能な分光イメージング分析システムまたは装置を提供することである。
本発明のもう一つの目的は、非破壊・非接触・迅速に分光分析を行うことが出来る分光イメージングシステムまたは装置を提供することである。
本発明の更にもう一つの目的は、食品の安全や農作物の成育状況、人体の健康状態のモニターのために簡便に分光分析を行うことのできる小型・ポータブル・低価格な分光イメージングシステムまたは装置を提供することである。
本発明の更に別の目的は、空間的に二次元の分光情報を容易に取得することができる分光イメージングシステムまたは装置を提供することである。
本発明の更にもう一つ別の目的は、人体の血糖値を検出するセンサ用途では、血管の特定と、血液中に含まれる白血球等の血糖値の分析を阻害する因子を排除しながら分析を行うことが出来る分光イメージングシステムまたは装置を提供することである。
【課題を解決するための手段】
【００１１】
本発明の一つの側面は、
N（２以上の整数）個の光波長に透過率ピークを有するバンドパスフィルターと「N-1」個の液晶セルから構成される時分割分光手段と、
イメージセンサと、
を備えた分光イメージングシステムであり、
前記イメージセンサの全画素の蓄積期間と同期させて前記「N-1」個の液晶セルに印加する電圧の組み合わせを変化させて各液晶セルの透過特性を調整し、入射光に含まれる光波長成分について、前記バンドパスフィルターのN個の透過光波長から時分割で１波長ずつ選択して前記イメージセンサでN回の信号を取得することで前記入射光に含まれるN個の波長成分の光情報を時分割で取得することを特徴とする時分割分光イメージング分析システムにある。
【００１２】
本発明のその他の特徴及び利点は、添付図面を参照とした以下の説明により明らかになるであろう。なお、添付図面においては、同じ若しくは同様の構成には、同じ参照番号を付す。
【発明の効果】
【００１３】
本発明によれば、一つには、小型・軽量・低価格・高性能な分光イメージング分析システムまたは装置を提供することができる。
もう一つは、非破壊・非接触・迅速に分光分析を行うことが出来る分光イメージングシステムまたは装置を提供することができる。
更にもう一つは、食品の安全や農作物の成育状況、人体の健康状態のモニターのために簡便に分光分析を行うことのできる小型・ポータブル・低価格な分光イメージングシステムまたは装置を提供することができる。
上記の他にも後述されるように従来に比べ優位性と進歩性のある多くの分光イメージングシステムまたは装置を提供することができる。
【図面の簡単な説明】
【００１４】
添付図面は明細書に含まれ、その一部を構成し、本発明の実施の形態を示し、その記述と共に本発明の原理を説明するために用いられる。
【図１】図１は、本発明において使用される時分割分光手段の好適な実施態様の一つの構成を説明するための模式的構成説明図である。
【図２】図２は、液晶セル１０４の構成を説明するための模式的構成説明図である。
【図３】図３は、図１に示す時分割分光手段を備えた分光イメージングシステムの構成例を説明するためのブロック図である。
【図４】図４は、図３に示す分光イメージングシステムを使用して時分割分光分析する際の測定フローチャートである。
【図５】図５は、バンドパスフィルターの透過特性と波長１０５０nmの光を選択した際の液晶セルの透過特性と分光手段の透過特性の好適な例を説明するためのグラフである。
【図６Ａ】図６Ａは各波長を選択する際の液晶セルに印加する電圧の組み合わせ例を示す表である。
【図６Ｂ】図６Ｂは各波長を選択している際の透過特性の測定結果の一例を示すグラフである。
【図７】図７は、時分割分光のタイミングの一例を示すタイミングチャートである。
【図８】図８は、本発明をグルコースの分光分析に適用させた場合の分光イメージングシステムの構成の模式的説明図である。
【図９】図９は、本発明を血糖値の分光分析に適用させた場合の分光イメージングシステムの構成の模式的説明図である。
【図１０】図１０は、図９に示すシステムで血糖値を測定した例の画像を説明するための模式的説明図である。
【図１１】図１１は、本発明に係るイメージセンサの分好感度特性の一例を示す図である。
【発明を実施するための形態】
【００１５】
図１は、本発明において使用される時分割分光手段の好適な実施態様の一つの構成を説明するための模式的構成説明図である。
時分割分光手段１００は、バンドパスフィルター１０１と、４つの偏光板１０２（１０２ａ，１０２ｂ，１０２ｃ，１０２ｄ）と、３つの波長板１０３（１０３ａ，１０３ｂ，１０３ｃ）と、３つの液晶セル１０４（１０４ａ，１０４ｂ，１０４ｃ）と、３つの電圧印加手段１０５（１０５ａ，１０５ｂ，１０５ｃ）と、を備えている。
バンドパスフィルター１０１は、誘電体多層膜により特定の波長のみを透過する機能を備えた光学素子である。
以後の説明においては、図１に示されるバンドパスフィルター１０１は４つの光波長に透過率ピークを有するものとしているが、本発明においてはこれに限定されるものではなく、２つ以上の波長に透過率ピークを有する複数波長（あるいは多波長）のバンドパスフィルターであればよい。また、図１に示される時分割分光手段１００では、液晶セルは３つであるが、これは４つの光波長を時分割で切り替えるための構成であり、本発明において液晶セルの個数はこれに限定されるものではなく、N個の透過させる波長数の場合にはN-1個あれば良い。
バンドパスフィルター１０１を透過する光は、半値幅が出来るだけ狭帯域にある選択されたピーク波長の光である。出来るだけ狭帯域の半値幅を有する所定のピーク波長の光を使用することは、分析精度をより高めることが出来るので望ましい。
【００１６】
偏光板１０２ａの偏光方向と偏光板１０２ｂの偏光方向とは垂直の関係にある。偏光板１０２ｂの偏光方向と偏光板１０２ｃの偏光方向とは平行の関係にある。偏光板１０２ｃの偏光方向と偏光板１０２ｄの偏光方向とは垂直の関係にある。
【００１７】
波長板１０３は、直線偏光（Linear Polarized Light）の光に所定の位相差（Retardation）を与える光学機能素子であり、本発明においては、波長板１０３の光学軸方位は偏光板１０２を透過した光が45°の方位角で入射するように制御されている。波長板１０３の位相差は、波長板１０３と液晶セル１０４とが形成する位相差によって、波長板１０３と液晶セル１０４を透過して次の偏光板１０２に入射する光に対して、透過させる波長に対しては偏光板１０２を透過すると共に、遮断させたい波長に対しては遮断されるように設計されている。ここでは、波長板１０２ａ、１０２ｂ、１０３ｃには水晶を用いている。
【００１８】
次に図１に示す分光手段１００の機能を説明する。図１に示す分光手段１００は、４つの光波長を時分割で選択する時分割分光手段である。
入射光が通過する順番に、バンドパスフィルター１０１、偏光板１０２ａ、波長板１０３ａ、液晶セル１０４ａ、偏光板１０２ｂ、波長板１０３ｂ、液晶セル１０４ｂ、偏光板１０２ｃ、波長板１０３ｃ、液晶セル１０４ｃ、偏光板１０２ｄが配置されている。本発明においてバンドパスフィルター１０１の配置の位置はこれに限定されるものではなく、例えば偏光板１０４ｃの次に配置しても良い。
液晶セル１０４ａ、１０５ｂ、１０５ｃにはそれぞれ電圧印加手段１０５ａ、１０５ｂ、１０５ｃにより時分割で所定の交流電圧が印加される。
ここでは、バンドパスフィルター１０１は、例えば、４つのピーク波長（630nm、800nm、960nm、1050nm）の光を透過する光学素子である。
また、偏光板１０２ａと偏光板１０２ｂとの偏光方向は直交であり、偏光板１０２ｂと偏光板１０２ｃとの偏光方向は平行であり、偏光板１０２ｃと偏光板１０２ｄとの偏光方向は直交である。
また、液晶セル１０４（１０４ａ，１０４ｂ，１０４ｃ）中の液晶分子は配向膜２０３の配向方向に平行に配向しており、その配向の方向は、偏光板１０２（１０２ａ，１０２ｂ，１０２ｃ，１０２ｄ）の偏光方向と「45°」の関係にある。
これらは、上記の４つの波長を時分割分光するための構成の１例であり、偏光板１０２間の偏光方向の関係等は、波長板１０３や液晶２０４の厚み等の設計値との組み合わせで変更することが出来る。
【００１９】
次に、入射光１０７が透過光１０８に至るまでの分光手段１００の各光学素子の作用を説明する。
（１）入射光１０７は、バンドパスフィルター１０１で、所定の複数の波長の光とされる。図１の構成では４波長の光とされる。ここで、以降の説明では、バンドパスフィルター１０１で透過した複数の波長のうち、ある時刻に選択的に透過させる光波長を選択波長、その他の波長を遮断波長と呼ぶ。
（２）バンドパスフィルター１０１を透過した４つの波長の光は、偏光板１０２ａで、直線偏向される。
（３）直線偏向された４つの波長の光は、波長板１０３ａで、所定の位相差があてられる。
（４）次に、電圧印加手段１０５ａにより所定の交流電圧が印加されている液晶セル１０４ａを介して、選択波長が偏光板１０２ｂで透過するとともに、第１の遮断波長が偏光板１０２ｂで遮断されるように所定の位相差があてられる。
（５）偏光板１０２ｂで選択波長が透過すると共に第１の遮断波長が遮断される。ここで、第２、第３の遮断波長の光の一部は透過する。
（６）偏光板１０２ｂを透過した光は、波長板１０３ｂで、所定の位相差があてられる。
（７）次に、電圧印加手段１０５ｂにより所定の交流電圧が印加されている液晶セル１０４ｂを介して、選択波長が偏光板１０２ｃで透過するとともに、第２の遮断波長が偏光板１０２ｃで遮断されるように所定の位相差があてられる。
（８）偏光板１０２ｃで選択波長が透過すると共に第２の遮断波長が遮断される。ここで、第３の遮断波長の光の一部は透過する。
（９）偏光板１０２ｃを透過した光は、波長板１０３ｃで、所定の位相差があてられる。
（１０）次に、電圧印加手段１０５ｃにより所定の交流電圧が印加されている液晶セル１０４ｃを介して、選択波長が偏光板１０２ｄで透過するとともに、第３の遮断波長が偏光板１０２ｄで遮断されるように所定の位相差があてられる。
（１１）偏光板１０２ｄで選択波長が透過すると共に第３の遮断波長が遮断される。
（１２）偏光板１０２ｄを透過した光１０８に含まれる光量は、選択波長の光が主成分であり、遮断波長の光量は低く抑えられる。
【００２０】
図２は、液晶セル１０４の構成を説明するための模式的構成説明図である。
液晶セル１０４は、表面に透明電極２０２（２０２ａ、２０２ｂ）、配向膜２０３（２０３ａ、２０３ｂ）を設けた２枚のガラス基板２０１（２０１ａ、２０１ｂ）に液晶層２０４が図示の如く挟持され封止されている構造を有している。
液晶層２０４を構成するのはネマチック液晶であり、配向膜２０３によって液晶分子が所定の方向に配向されている。ただし、要求される性能によっては液晶層２０４を構成するのはスメクティック、コレステリック液晶でもよい。また周波数により誘電異方性の極性が変化する二周波液晶でもよい。
液晶セル１０４は、電圧印加手段１０５によって液晶層２０４に印加する電圧を調整することで、液晶セル１０４を透過する光に所望の位相差をあてることが出来る。
【００２１】
図３には、図１に示す時分割分光手段１００を備えた分光イメージングシステム３００が示される。
分光イメージングシステム３００は、分光手段１００の他に、光学レンズ３０１、イメージセンサ３０３、信号格納／処理部３０４、表示部３０５、制御部３０７、操作部３０８を備えている。
光学レンズ３０１、分光手段１００、イメージセンサ３０３は光軸３０６上に図示の如く配されている。
図３においては、リンゴ、梨などの果物を被検体３０９として分光分析（あるいは測定）する様子を示してある。被検体３０９には、太陽などを光源３１０として、その光（照射光３１１）を被検体３０９の表面に向けて照射し、その反射光３１２を光学レンズ３０１に入射させる。
【００２２】
分光イメージングシステム３００を使用して時分割分光分析する際の測定フローチャートを図４に示す。
分光イメージング分析の準備が開始される（ステップ４０１）と、被検体３０９が新規であるか否かが判断される（ステップ４０２）。被検体３０９が新規である場合（YES）は、ステップ４０３に進む。
被検体３０９が新規でない場合（NO）は、測定開始か否かの判断のステップ４０７に進む。
【００２３】
ステップ４０３においては、被検体３０９の分析に必要な光の波長（中心波長）を複数選択する。選択される波長とその数（N）は、分析対象の被検体３０９の種類・特性と求める分析精度に依存して決められる。ステップ４０３で複数の波長（中心波長）が選択されると、次のステップ４０４に進む。
ステップ４０４では、選択された複数の波長が、システムにセットされているバンドパスフィルター１０１を透過する光の波長に含まれるか否かが判断される。含まれていれば（YES）、測定開始か否かの判断のステップ４０７に進む。含まれていなければ（NO）、含まれているバンドパスフィルターを用意し、システムに既設されているバンドパスフィルターと交換する。
【００２４】
システムにバンドパスフィルター１０１を予めセットしておかない場合は、ステップ４０３で、被検体３０９の分析に必要な光の波長（中心波長）を複数選択した段階で、該選択された複数の波長の光を透過するバンドパスフィルターをシステムの所定位置にセットする。該選択された複数の波長の光を透過するバンドパスフィルターが手元にない場合は、該選択された複数の波長の光を透過するバンドパスフィルターを新たに作成する（ステップ４０５）か、他から求めてシステムにセットする。
適切なバンドパスフィルターがセットされていることを確認した後、ステップ４０６に進む。
【００２５】
ステップ４０６においては、選択された複数の波長（中心波長）の光が分光手段１００を透過するために各液晶セルの駆動電圧を設定する（液晶セル１０４ａ〜１０４ｃの駆動電圧を設定）。
各液晶セルの駆動電圧が設定され終わると、分光分析の測定開始の判断ステップ４０７に進む。
【００２６】
ステップ４０７で測定開始OK（YES）の判断がされると次のステップ４０８に進む。
ステップ４０７で測定開始が（NO）と判断されると、システムの測定（分光分析）終了のステップ４１２に進む。
【００２７】
ステップ４０８では、イメージセンサ３０３のフレームレート、分光手段３０２を選択された波長の光が透過する期間（透過期間）の設定（調整）がされる。この設定が終了すると次のステップ４０９に進む。
【００２８】
ステップ４０９では、選択された各波長の光の分光フレームの取得がなされる。この分光フレームの取得のすべてが終わると次のステップ４１０に進む。
【００２９】
ステップ４１０では、画素ごとの分光データを表示部３０５に表示するとともに分光データの解析を行う。表示部３０５への分光データの表示は必ずしも行う必要はなく、分光データの解析は行うようにしてもいい。
画素ごとの分光データの（表示）・解析の全てが終わると、測定終了の可否判断のステップ４１１に進む。
【００３０】
ステップ４１１で測定終了OK（YES）の判断がされると、システムの測定作業終了のステップ４１２に進み、測定が終了される。ステップ４１１で測定終了（NO）の判断がされると、ステップ４０９に戻り、ステップ４０９、４１０、４１１の順でステップが進められる。
【００３１】
図５には、バンドパスフィルター１０１の透過特性と波長１０５０nmの光を選択した際の偏光板１０２、波長板１０３、液晶セル１０４の透過特性と分光手段１００の透過特性の好適な例が示される。
図５の（ａ）にはバンドパスフィルター１０１の透過率の測定結果が示してある。
各中心波長の半値幅は10nmであった。
次に液晶セル１０４ａ、１０４ｂ、１０４ｃに印加する交流電圧の組み合わせを設定した。ここで、波長1050nmの光のみを透過させるためには630nm、800nm、960nmの波長の光を液晶セル１０４で遮断する電圧の組み合わせを設定した。この時の偏光板１０２、波長板１０３、液晶セル１０４の透過特性を図５の（ｂ）に、分光手段全体の透過特性を図５の（ｃ）に示す。
同様に、波長630nm、800nm、960nmの光のみをそれぞれ透過させるためには、630nm、800nm、960nm、1050nmの４波長のうち選択対象以外の３波長の光を遮断する電圧の組み合わせを設定した。
【００３２】
図６Ａは各波長を選択する際の液晶セル１０４に印加する電圧の組み合わせを示す。
図６Ｂは各波長を選択している際の透過特性の測定結果である。選択波長以外のノイズ成分が低く抑制出来ていることが確認できた。
ここで、透過波長を切り替える際の液晶セル１０４の応答性能を向上させるためには、図４Ｂに示す順番のように液晶セル１０４の位相差が、単調に増加ないし減少するように設定することが望ましい。さらに、応答性能を向上させるためには、切り替える際に目的の電圧値よりも大きい、または小さい電圧であるオーバードライブ電圧を印加し、光学応答が安定する前に目的の電圧を印加する駆動方法を用いることが好適である。
【００３３】
次に、イメージセンサの出力範囲内に各波長の信号が入るようにイメージセンサのフレームレート及び各波長の透過期間を調整する。
ここで、図７に示すように、イメージセンサ３０３の全画素が蓄積期間中に各波長の透過期間が設けられるように液晶セル１０４のスイッチングタイミングをイメージセンサ３０３の駆動タイミングと同期させた。
【００３４】
図８は、本発明をグルコースの分光分析に適用させた場合の分光イメージングシステムの構成の模式的説明図である。
図８に示される分光イメージングシステムでは、ＬＥＤなどの光源８０４、拡散板８０５、被検体セル８０６、分光イメージングデバイス８００が光軸上に配されている。
被検体セル８０６には生理食塩水８０８を所定量注入して置き、スポット８０７からグルコース溶液を所定量滴下する。
分光イメージングデバイス８００は、レンズ８０１、本発明に係る分光手段８０２、本発明に係るイメージセンサ８０３を備えたカメラ構造を有する。
光源８０４から出射された入射光８０９は、拡散板８０５で拡散されて後、被検体セル８０６中のグルコース溶液８０８に向かって照射される。グルコース溶液８０８を透過してくる透過光８１１は分光イメージングデバイス８００内に投光される。
このようにしてグルコース溶液８０８の吸光像を撮像する。
【００３５】
実験では、被検体セル８０６内の生理食塩水８０８中に5mg/dlの濃度のグルコース溶液を６０μl滴下して生理食塩水８０８中のグルコースの吸光像を時分割撮像した。撮像した一連のグルコースの吸光像からグルコースが生理食塩水中に拡散する様子が確認できた。
尚、光源８０４として用いたのは630nm、800nm、960nm、1050nmのいずれの波長の光も含まれる白色光源であった。
【００３６】
図９は、本発明を血糖値の分光分析に適用させた場合の分光イメージングシステムの構成の模式的説明図である。
図９に示される分光イメージングシステムでは、LEDなどの光源９０４、被検体９０５である人指し指、分光イメージングデバイス９００が光軸上に配されている。
分光イメージングデバイス９００は、レンズ９０１、本発明に係る時分割分光手段９０２、本発明に係るイメージセンサ９０３を備えている。
時分割分光手段９０２を構成するバンドパスフィルターとしては、630nm、800nm、960nm、1050nmの中心波長を有する干渉フィルターを用意した。
光源９０４からの照射光９０６には、630nm、800nm、960nm、1050nmの波長の光が含まれている。ここで、LED等の光源の光強度を測定期間中に一定に保つために、照射光９０６の一部ないしは透過光９０７のうち被検体９０５で吸収が起こらない波長の光強度をモニターし、光源の駆動条件にフィードバックを掛けて制御することが望ましい。
被検体（人指し指）９０５を透過してくる透過光９０７は、レンズ９０１、時分割分光手段９０２を介してイメージセンサ９０３で受光される。
【００３７】
測定を開始して、630nm、800nm、960nm、1050nmの波長の光の夫々における画像を取得して画像演算を行うことにより血糖値のイメージングを得た。その際の画像を模式的に示したのが図１０である。
取得画像１０００には、血糖値測定対象領域１００１、周辺領域１００２、血管壁１００３、血糖値分析疎外因子１００４がクリアーに写し出されていた。
血糖値は、血糖値測定対象領域１００１の濃淡度によって数値化して示される。
【００３８】
図８，９の説明で使用したイメージセンサ（８０３、９０３）は、光波長帯域200〜1100nmに感度を有する画素数128H×128Vのローリングシャッタ型CMOSイメージセンサである。
本発明においては、使用するイメージセンサは、求める分光分析に要求される分解能に依存して最適なものが選択される。分解能の高い分光分析の場合は、例えば、特許文献１乃至３に記載されているイメージセンサが採用される。該イメージセンサの分好感度特性の一例は、図１１に示される。
【００３９】
図１１の光波長に対する量子効率のビートは、イメージセンサを構成する要素の一つであるフォトダイオード上に形成されている配線層間絶縁膜によってもたらされる光の干渉によるものである。この量子効率のビートの特性であるビートの周期、量子効率が波長に対して山状に高まるピーク波長、谷状に低くなるバレー波長は配線層間絶縁膜の光学定数と膜厚によって変わる特徴を有している。配線層間絶縁膜は具体的には酸化膜を主体とする絶縁膜で構成されている。この場合、量子効率のピーク波長が分析波長の中心波長となるように当配線層間絶縁膜の総膜厚を選択することが好ましい。
【００４０】
本発明の用途分野は実に多くあり、その代表例は、食品製造・加工現場における成分分析、異物混入検査、農業生産における生育診断、収量調査への応用、医療、時系列による成分変化のイメージング等の分野、平面分光測定機、ランドスケープ分光測定機、顕微鏡用平面分光測定機への応用分野である。
以上、図１乃至図１１を用いて本発明を説明したが、本発明の本質を逸脱しない範囲で本発明はこれらに限定されるものではない。
【００４１】
本発明は以上の記載に制限されるものではなく、本発明の精神及び範囲から離脱することなく、様々な変更及び変形が可能である。従って、本発明の範囲を公にするために、別記の請求項を添付する。
【符号の説明】
【００４２】
１００・・・分光手段
１０１・・・バンドフィルター
１０２（１０２ａ〜１０２ｄ）・・・偏光板
１０３（１０３ａ〜１０３ｃ）・・・波長板
１０４（１０４ａ〜１０４ｃ）・・・液晶セル
１０５（１０５ａ〜１０５ｃ）・・・電圧印加手段
１０６・・・透過光
１０７・・・入射光
１０８・・・透過光
２０１（２０１ａ、２０１ｂ）・・・ガラス板
２０２（２０２ａ，２０２ｂ）・・・透明電極
２０３（２０３ａ，２０３ｂ）・・・配向膜
２０４・・・液晶
３００・・・分光イメージングシステム
３０１・・・光学レンズ
３０２・・・時分割分光手段
３０３・・・イメージセンサ
３０４・・・信号格納／処理部
３０５・・・表示部
３０６・・・光軸
３０７・・・制御部
３０８・・・操作部
３０９・・・被検体
３１０・・・光源
３１１・・・照射光
３１２・・・入射光
４０１〜４１２・・・ステップ
８００、９００・・・時分割分光イメージングデバイス
８０１、９０１・・・（光学）レンズ
８０２、９０２・・・分光手段
８０３、９０３・・・イメージセンサ
８０４、９０４・・・光源
８０５・・・拡散板
８０６・・・（被検体）セル
８０７・・・スポット
８０８・・・生理食塩水
８０９、９０６・・・照射光
８１０・・・拡散工
８１１、９０７・・・透過光
９０５・・・被検体
１０００・・・取得画像
１００１・・・測定対象領域
１００２・・・周辺領域
１００３・・・血管壁
１００４・・・血糖値分析疎外因子
【図１】
2018200257.tif 000003
【図２】
2018200257.tif 000004
【図３】
2018200257.tif 000005
【図４】
2018200257.tif 000006
【図５】
2018200257.tif 000007
【図６Ａ】
2018200257.tif 000008
【図６Ｂ】
2018200257.tif 000009
【図７】
2018200257.tif 000010
【図８】
2018200257.tif 000011
【図９】
2018200257.tif 000012
【図１０】
2018200257.tif 000013
【図１１】
2018200257.tif 000014